(57)【要約】【課題】替刃形式の髭剃り器は様々な改良が施されて高性能化しているが、替刃の交換は利用者の曖昧な判断に委ねられていた結果、髭剃り器の性能とは無関係に切れ味の落ちた刃による軽い怪我や替刃の予備の備えを欠き髭剃り行為そのものの断念という様な状況も発生しえた。【解決手段】本考案は、上記問題に対して利用者が簡単かつ確実に行うことが可能となるように、髭剃り器本体にカウンター（計数器）を備え、利用者が髭剃りを行う度に計数値を上げて、利用者自身が刃の交換時期を簡単に判断できる手段を与えるものである。【選択図面】  図２
0003111175.tif 000002
【実用新案登録請求の範囲】
【請求項１】
棒状の柄の一端側に替刃を保持し着脱する構造を備えたＴ字型の髭剃り器において、利用者が任意に操作できる計数機構を備えたことを特徴とする髭剃り器。
【請求項２】
請求項１記載の髭剃り器において計数機構が所定の値を示した時に替刃を外す機構を備えたことを特徴とする髭剃り器。
【考案の詳細な説明】
【技術分野】
【０００１】本考案は棒状の一端側にＴ字状に替刃を保持する所謂刃交換形式の髭剃り器に関するものある。
【背景技術】
【０００２】刃交換形式の髭剃り器は、簡便確実な替刃交換方式や替刃自身が複雑な構造を持つなどの改良が為され、利用者にとって快適な使い心地の髭剃り器へと進化してきている。
【考案の開示】
【考案が解決しようとする課題】
【０００３】上記の形式の髭剃り器は切れ味の追求や乱雑な使用によっても肌を傷つけない安全な仕組みを提供するなど様々な改良が施されて利用者に提供されている。
しかしながら替刃の交換は利用者の意思に委ねられており、利用者も一定の期間が経過の後交換したり、実際に利用してみてその切れ味から交換時期を判断したりと、きわめて曖昧な刃交換を行っていた。その結果、髭剃り器の性能とは無関係に切れ味の落ちた刃による軽い怪我や替刃の予備の備えを欠き髭剃り行為そのものの断念という様な状況も発生しえた。
【課題を解決する手段】
【０００４】本考案は、上記問題に対して利用者が簡単かつ確実に刃交換時期を知らせることが可能となるように、髭剃り器本体にカウンター（計数器）を備え、利用者が髭剃りを行う度に計数値を上げて、利用者自身が刃の交換時期を簡単に判断できる手段を与えるものである。
【考案の効果】
【０００５】髭剃り器の刃の交換時期は、利用者の髭の質や髭剃り器が保管される場所や髭剃り仕上げの好み等により大幅な個人差があると考えられる。
本考案はこれら交換時期の個人差を利用者個人が計数して交換時期を判断する手段を提供することで、改良著しい髭剃り器のさらなる利便・快適性を提供可能とする。
【考案を実施するための最良の形態】
【０００６】本考案は既存の所謂替刃式髭剃り器の基本機能になんら複雑な仕組みを施すことなく実施可能なため、安価に提供可能で以下実施例に基づいて説明する。
【実施例】
【０００７】図１は従来からある棒状の柄の一端側に替刃を保持する構造と着脱する構造とを備えたＴ字型の髭剃り器を示すもので、軸１と替刃２で構成される。
この従来からの髭剃り器では利用者がその刃を交換するに際して利用者が知りえる情報は、実際に使ってみた使い心地や汚れ等の主観的なものしか有得ないことは明らかである。【０００８】図２は従来からある棒状の柄の一端側に替刃を保持する構造と着脱する構造とを備えたＴ字型の髭剃り器に本考案の計数部分を付加したものを示したもので、軸１と替刃２と計数部分３で構成される。【０００９】図３は計数部分を拡大して示したもので、軸に沿った作られた溝４と軸に沿って作られた溝４をスライドする目盛指示部分５、軸に刻まれた目盛６から構成される。
ここで目盛指示部分５は柔軟な材質で作ることにより、利用者が容易に目盛指示部分５を溝４をスライドさせ、かつ図示した様に目盛の位置で支持部が安定に停止するようにする。
また、図４は図３の断面を示したもので、軸に沿って作られた溝４と軸に沿って溝４をスライドする目盛指示部分５と軸に刻まれた目盛６から構成されていることを示している。【００１０】ここで本考案の計数部分は利用者が本考案の髭剃り器で髭剃りを始める時または髭剃りが終わった時等に利用者自身がこの目盛を進め、髭剃り器自身が髭剃り回数を記憶する。利用者は髭剃りを開始する時または終了した時に当該髭剃り器での実施回数を本考案髭剃り器の計数部分を見ることで容易に確認することが可能となる。以上述べた様に、本考案の髭剃り器を使用することで利用自身が当該髭剃り器での髭剃り回数を管理することから開放される。【００１１】図５は他の実施例で、計数部分を時計状の目盛にしたもので、前述の実施例と同様に軸１と替刃２と計数部分３で構成される。【００１１】図６は図５の計数部分３を拡大したもので、目盛指示部部分７は髭剃り器本体の円状の穴８に外れない様にかつ回転する様に取り付けられており、本髭剃り器の利用者が髭剃りを始める時または髭剃りが終わった時等にこの目盛を時計方向に進めて回数を記憶させるものである【００１２】図７（イ）および（ロ）は計数装置と替刃着脱機構を連動させた実施例を示す。
主要部分は替刃２と目盛指示部５と着脱棒１０と支点１４で回転動作をする替刃固定部右１１と替刃固定部左１２およびコイルバネ１３で構成される。
通常は図７（イ）に示す様に目盛指示部５が着脱棒１０を押しておらず、コイルスプリング１３が伸びる方向に作用することで替刃２は替刃固定部右１１と替刃固定部１２で左右から抑えられて本体１に固定されている。
つまり本髭剃り器利用者の髭剃り回数が計数完了にならなければ目盛指示部が着脱棒を押さないので替刃２は本体に固定された状態を維持する。【００１３】図７（ロ）は計数が完了して最後の目盛になった時を示す。
目盛指示部５が着脱棒１０を下方向に押し、着脱棒１０は替刃固定部右１１および替刃固定部左１２の一方の端を押し、替刃固定部右１１のもう一方の端は支点１４を中心に左回りに回転し替刀２を外す様に動く。
同様に替刃固定部左１２のもう一方の端は支点１４を中心に右回りに回転し替刃２を外す様に動くこととなり、替刃２は本体１から外れる。
【産業上の利用可能性】
【００１４】本考案は替刃式髭剃り器に簡単な仕組みの計数部分を付加することで、安価に利便性の高い髭剃り器を提供するものである。
【図面の簡単な説明】
【００１５】
【図１】従来の髭剃り器
【図２】本考案実施例
【図３】本考案の計数部分を示した図
【図４】本考案の計数部分の断面を示した図
【図５】時計状の計数部分を持った実施例
【図６】時計状の計数部分を示した図
【図７】（イ）計数部分と替刃着脱機構を連動させた実施例で通常状態を示す。（ロ）計数部分と替刃着脱機構を連動させた実施例で替刃を外す時を示す。
【符号の説明】
【００１６】１  替刃式髭剃り器の軸
２  着脱可能な替刃
３  計数部分
４  髭剃り器の軸に作られた溝
５  日盛指示部分
６  目盛
７  時計状計数部の目盛指示部分
８  時計状計数部の目盛指示部分を入れる本体の穴
１０  替刃着脱棒
１１  替刃固定部右
１２  替刃固定部左
１３  コイルスプリング
１４  替刃固定部の支点
【図１】
0003111175.tif 000003
【図２】
0003111175.tif 000004
【図３】
0003111175.tif 000005
【図４】
0003111175.tif 000006
【図５】
0003111175.tif 000007
【図６】
0003111175.tif 000008
【図７】
0003111175.tif 000009